(57)【要約】【課題】郵便局等の大量の葉書を取り扱う作業所において、大量の葉書を収納しておくものであって、折畳み及び組立が容易であり、且つ葉書を収納した状態で組立状態が不良となって、組立が崩れても、収納された葉書が脱落することを防止できる葉書用整理箱とすること。【解決手段】底面板１と、該底面板１に対して第１ジョイント具４を介して折畳み自在とした背面板２と、前記背面板２の幅方向両側に位置すると共に第２ジョイント具５を介して折畳み自在とした側面板３とからなること。前記背面板２は前記底面板１に対する開き角度は、略直角以内とすること。前記底面板１と背面板２とが略直角のときに、前記側面板３は、前記背面板２に対して略直角でその側部下端面３２が前記底面板１に固定されること。【選択図】図１
2009056050.tif 000002
【特許請求の範囲】
【請求項１】
底面板と、該底面板に対して第１ジョイント具を介して折畳み自在とした背面板と、前記背面板の幅方向両側に位置すると共に第２ジョイント具を介して折畳み自在とした側面板とからなり、前記背面板は前記底面板に対する開き角度は、略直角以内とすると共に、前記底面板と背面板とが略直角のときに、前記側面板は、前記背面板に対して略直角でその側部下端面が前記底面板に固定されてなることを特徴とする葉書用整理箱。
【請求項２】
請求項１において、前記背面板の背部前面の下方箇所は、前記底面板の底後端面に当接して開き停止してなることを特徴とする葉書用整理箱。
【請求項３】
請求項１において、前記背面板の背部下端面は、前記底面板の底後端面に当接して開き停止してなることを特徴とする葉書用整理箱。
【請求項４】
請求項１又は２において、前記側面板は、前記背面板の背部裏面側に折畳み自在とすると共に、背部前面側に対して略直角位置で停止してなることを特徴とする葉書用整理箱。
【請求項５】
請求項１,２,３又は４のいずれか１項の記載において、前記側面板は前記底面板に固定するロック部が具備され、該ロック部は軸部と挿入孔とから構成され、前記軸部は前記挿入孔に係止固定されてなることを特徴とする葉書用整理箱。
【発明の詳細な説明】
【技術分野】
【０００１】
本発明は、郵便局等の大量の葉書を取り扱う作業所において、大量の葉書を収納しておくものであって、折畳み及び組立が容易であり、且つ葉書を収納した状態で組立状態が不良となって、組立が崩れても、収納された葉書が脱落することを防止できる葉書用整理箱に関する。
【背景技術】
【０００２】
従来より郵便局における葉書の配送整理等で、配達先の区域ごとに葉書を収納して、配達作業を行いやすくするための葉書用整理箱が存在している。これらの葉書用整理箱は、郵便ポストから集めた葉書を局内で番号別に整理して収納し、これらを個別配達袋に入れるまでの場所の移動を効率的に行うことができるようにしたものである。このような葉書用整理箱は、複数の板材が展開可能で展開された状態から組み立てて葉書の収納箱とするものである。
【特許文献１】特許第３０１６９７６号
【発明の開示】
【発明が解決しようとする課題】
【０００３】
上述したように、展開及び組立ができる葉書用整理箱として、特許文献１が存在する。このような葉書用整理箱は、展開することによって、複数を積み重ねることで、安定した状態で且つ省スペースにて保管することができる。また組立についても、突起と結合孔との係止又は嵌合によって、極めて容易で且つ瞬時に完成させることができるという多くの利点を有している。しかし、組立が簡単にできるということは、衝撃によって各板材同士の突起と結合孔との結合が簡単に外れてしまうことがあり得る。
【０００４】
特に、葉書用の仕分け或いは整理箱には、大量の葉書が収納されることが多く、多数枚の葉書は重量が極めて重くなる。しかも、多数枚の葉書は、郵便局の作業員によって、極めて厳しい環境にて収納作業が行われるので、仕分け或いは整理箱には常に大きな多数枚の葉書による衝撃がかかることになる。そのために、板材同士の突起と結合孔との結合力が多数枚の葉書の出し入れにおける衝撃に耐え切れず、板材同士の結合が外れてしまうことがある。
【０００５】
さらに、特許文献１のように展開可能な仕分け或いは整理箱では、構成している板材同士は、完全に平坦面を構成してしまうので、収納された大量の葉書は、収納状態が維持されず、ばらばらに散らばってしまうことになる。特に、大量の葉書が収納されたままで、仕分け或いは整理箱を持ち運ぶ最中に上記のような事態が生じると、葉書が床面にちらばって、折れ曲がったり、或いは踏みつけられて汚損するおそれが十分に起こりうるものである。
【０００６】
また、仕分け或いは整理箱は、通常その底板部分は、背面板との接合側が低くなるように傾斜して使用されることが多い。このために、大量の葉書の重量が背面板にかかり、これになんらかの衝撃がかかると、背面板は倒れてしまい、収納された大量の葉書が脱落して散らばってしまうおそれもあり得る。本発明が解決しようとする技術的課題（目的）は、たとえ大きな衝撃が加わって、板材同士の結合が外れても、背面板による葉書の支持状態を維持することができ、収納された大量の葉書が散らばることなく、収納状態を維持することができるようすることである。
【課題を解決するための手段】
【０００７】
そこで、発明者は、前記課題を解決すべく、鋭意，研究を重ねた結果、請求項１の発明を、底面板と、該底面板に対して第１ジョイント具を介して折畳み自在とした背面板と、前記背面板の幅方向両側に位置すると共に第２ジョイント具を介して折畳み自在とした側面板とからなり、前記背面板は前記底面板に対する開き角度は、略直角以内とすると共に、前記底面板と背面板とが略直角のときに、前記側面板は、前記背面板に対して略直角でその側部下端面が前記底面板に固定されてなる葉書用整理箱としたことにより、上記課題を解決した。請求項２の発明を、前述の構成において、前記背面板の背部前面の下方箇所は、前記底面板の底後端面に当接して開き停止してなる葉書用整理箱としたことにより、上記課題を解決した。
【０００８】
請求項３の発明を、前述の構成において、前記背面板の壁底面は、前記底面板の底表面に当接して開き停止してなる葉書用整理箱としたことにより、上記課題を解決した。請求項４の発明を、前述の構成において、前記側面板は、前記背面板の背部裏面側に折畳み自在とすると共に、背部前面側に対して略直角位置で停止してなる葉書用整理箱としたことにより、上記課題を解決した。請求項５の発明を、前述の構成において、前記側面板は前記底面板に固定するロック部が具備され、該ロック部は軸部と挿入孔とから構成され、前記軸部は前記挿入孔に係止固定されてなる葉書用整理箱としたことにより、上記課題を解決したものである。
【発明の効果】
【０００９】
請求項１の発明によって、背面板は、底面板に対して第１ジョイント具を介して折畳み自在とし、且つ前記背面板は前記底面板に対する開き動作は、略直角付近となる位置にて停止されるようにしたものである。また、前記背面板の幅方向両側には第２ジョイント具を介して折畳み自在とした側面板が備えられたものである。本発明は、底面板,背面板及
び側面板が折り畳まれた状態から組み立てられて整理箱とすることができるものである。本発明は、前記背面板は、前記底面板に対して、その開き動作が略直角付近の位置で停止される構造としたことにより、その中に複数枚の葉書が収納された状態で、本発明の整理箱が作業員にて持ち歩きされたときや、或いは大量の葉書が本発明の整理箱に収納する作業の時等に何らかの原因で衝撃が発生して組立状態がくずれてしまったとしても、収納された葉書は常時背面板による支持状態が維持され、葉書が散らばってしまうことが防止できる。
【００１０】
さらに、前記背面板に対して略直角でその側部下端面が前記底面板に固定される構造としているので、組み立てて整理箱としたときに、前記底面板と前記背面板及び両側面板は互いに略直角であり、このために葉書が適正に収納されるし、また整理箱の持ち運びも行いやすいものにできる。また、本発明の整理箱は、傾斜面の台を備えた棚に配置されることから、常時底面板は、背面板側が下方となるように傾斜状に設置されるので、収納された大量の葉書の重量は背面板にかかることとなり、なんらかの衝撃にて整理箱の組立状態がくずれても、前述したように背面板は、底面板に対して略直角状態が維持されるので、収納された大量の葉書が整理箱から脱落して散らばることを防止することができる。
【００１１】
請求項２の発明は、前記背面板の背部前面の下方箇所は、前記底面板の底後端面に当接して開き停止してなることにより、前記底面板の略全面が有効的に利用できるものである。請求項３の発明によって、前記背面板の壁底面は、前記底面板の底表面に当接して開き停止してなることにより、本発明の整理箱が折り畳まれたときには、極めてコンパクトな状態にすることができ、保管スペースを小さくすることができる。
【００１２】
請求項４の発明によって、前記側面板は、前記背面板の背部裏面側に折畳み自在とすると共に、背部前面側に対して略直角位置で停止してなることにより、背面板と側面板との組立における位置決めが瞬時にでき、組立を極めて効率的且つ迅速にできる。請求項５の発明によって、前記側面板は前記底面板に固定するロック部が具備されたことにより、本発明の整理箱の組立状態を強固なものにでき、特に本発明の整理箱を作業員が持ち運ぶ際に組立状態が崩れてしまうことを防止できる。
【発明を実施するための最良の形態】
【００１３】
以下、本発明の実施形態を図面に基づいて説明する。本発明の構成は、図１に示すように、底面板１と、背面板２と、側面板３，３と、第１ジョイント具４と、第２ジョイント具５と、ロック部７とから構成される。前記底面板１と、背面板２と、側面板３，３は、木製の板材等が使用されるが、プラスチック等の合成樹脂或いは金属等によって形成されても構わない。底面板１と背面板２とは、前記第１ジョイント具４を介して、相互に折り畳み自在としている（図２参照）。また前記背面板２と、前記側面板３とは、第２ジョイント具５を介して折り畳み自在としている（図６参照）。前記底面板１と、前記背面板２との隅角箇所に葉書Ｐの角箇所を位置させて、両側面板３，３の間に亘って多数枚の葉書Ｐ，Ｐ，…が配置収納されるものである〔図１，図６等参照〕。前記底面板１及び背面板２と、側面板３，３は、前記第１ジョイント具４及び第２ジョイント具５によって、折り畳まれるものであり、底面板１及び背面板２と、側面板３，３は、全てが同一平面上となるように展開される構造のものではない〔図５（Ａ）参照〕。
【００１４】
前記底面板１は、底表面１１,底裏面１２,底前端面１３,底後端面１４,底横端面１５とから構成され、長方形の板状材である。前記底表面１１は、葉書Ｐが載置される面である〔図１（Ｂ）参照〕。また前記底裏面１２は、前記底表面１１と対抗する反対側の面である。前記底前端面１３は、底面板１の板厚を構成する面で、その前方側となる面であり、前記底後端面１４は、前記底前端面１３と対向する反対側の面である〔図１（Ｂ）参照〕。前記底横端面１５は、底面板１の幅方向両側面を構成する面である〔図１（Ａ）参照〕。前記底面板１は、その底表面１１が表面となるようにして使用される。
【００１５】
前記背面板２は、図１に示すように、背部前面２１,背部裏面２２,背部上端面２３,背
部下端面２４,背部横端面２５とから構成され、長方形の板状材である。背面板２は、前
記底面板１よりも僅かに短く形成されているが、前記底面板１と同等の長さに形成されることもある。前記背部前面２１は、前記底面板１の底表面１１と共に葉書Ｐの隣接する辺を支持する面である〔図１（Ｂ）参照〕。背部裏面２２は、前記背部前面２１と対抗する反対側の面である。背部上端面２３は、背面板２の板厚を構成する面で、略垂直に立ち上げた状態でその上端を構成する面である。背部下端面２４は、前記背部上端面２３と対向する反対側の面である〔図１（Ｂ）参照〕。背部横端面２５は、背面板２の幅方向両側面を構成する面である。背面板２は、背部前面２１が表面となるようにして使用される。
【００１６】
前記側面板３は、図１に示すように、側部正面３１, 側部裏面３２, 側部上端面３３, 側部下端面３４, 側部横端面３５とから構成され、長方形の板状材である。側面板３は、前記底面板１の前後方向の寸法と略同等に形成されている。前記側部正面３１は、前記底面板１の底表面１１と共に葉書Ｐの隣接する辺を支持する面である。側部裏面３２は、前記側部正面３１と対抗する反対側の面である。
【００１７】
側部上端面３３は、側面板３の板厚を構成する面で、略垂直に立ち上げた状態でその上端を構成する面である〔図１（Ａ）参照〕。側部下端面３４は、前記側部上端面３３と対向する反対側の面である。側部横端面３５は、側面板３の幅方向両側面を構成する面である。両側面板３，３は、前記背面板２の幅方向両側に配置され、側部正面３１，３１同士が対向するようにして使用される。さらに、側面板３の上方の位置には、取手孔３６が形成されている。該取手孔３６は、本発明の整理箱を持ち運ぶときに、作業員が手の指を挿し込んで運ぶのに適したものである。
【００１８】
前記底面板１と前記背面板２とは、第１ジョイント具４を介して相互に折畳みを行うことができる構成となっている。該第１ジョイント具４は、具体的には蝶番であり、底面板取付片４１と背面板取付片４２と、枢支中心部４３とから構成されている。底面板取付片４１は、前記底面板１にビス等の固着具６にて固着され、背面板取付片４２は、前記背面板２にビス等の固着具６にて固着される。特に、前記底面板取付片４１は、図４（Ａ），（Ｂ）に示すように、断面略Ｌ字形状に形成されたものであり、該底面板取付片４１は底面板１の底裏面１２と、底後端面１４に亘って接合固着されている。
【００１９】
前記底面板１に対して前記背面板２は、前記第１ジョイント具４を介して、折畳み状態から開いて立ち上がり状態となるように設定される〔図４（Ａ）乃至（Ｃ）参照〕。さらに、前記背面板２は、前記底面板１に対して略直角付近にて折畳み状態からの開き動作が停止するように設定される。すなわち、前記第１ジョイント具４の底面板取付片４１が前記底面板１の底後端面１４に固着される。また、前記背面板取付片４２が前記背面板２の背部前面２１の下部（略下端の位置）に固着される。前記背面板２は、前記底面板１に対する開き角度θは、略直角以内である。ここで、略直角とは、直角及び直角を僅かに越えた鈍角も含まれ、具体的には、前記底面板１と背面板２との開き角度θは、９０度（直角）よりも僅かに大きな鈍角となる程度が好ましく、９０度乃至１２０度程度の範囲であり、好ましくは９０度乃至１１０度の範囲である。
【００２０】
すなわち、前記背面板２が底面板１に対して折畳み状態から開くときには、背面板２の開き動作は、上記開き角度θ以上に開かないようになっており、背面板２の開きが強制停止され、底面板１と背面板２との開き角度が制限される構造である。前記底面板１と前記背面板２との折畳み状態から開きの動作において、その開き角度がθとなったときに、前記底面板１の底後端面１４に、背面板２の背部前面２１の下部箇所が当接する構成としたものである。これによって、前記底面板１の底後端面１４が前記背面板２の背部前面２１の下部箇所に当接することによって、前記背面板２の開きにおけるストッパの役目をなし、背面板２は、底面板１に対して所定の開き角度θ以上に開くことができない構成となる。すなわち、該開き角度θは、前記底面板１に対して背面板２が開きの限界角度であり、開き角度θ以上には開かない構造としている〔図２（Ｂ），図３（Ｂ）図４（Ｃ）等参照〕。
【００２１】
具体的には、前記背面板２が第１ジョイント具４を介して折畳み状態から開いて角度θとなったときに、前記背部前面２１の下部箇所が、前記底面板１の底後端面１４に当接し、直角又は直角よりも僅かに大きな角度となる鈍角で、その背面板２の開きが停止できるようになっている〔図４（Ｃ）参照〕。このために、該背面板２が前記底面板１に対して、１８０度に展開されることは全くない。前記底面板１の底後端面１４には、前記第１ジョイント具４が固着されるために、凹み部１６が形成されている（図１，図４参照）。該凹み部１６には、前記底面板取付片４１及び枢支中心部４３が納められ、前記背面板２の折畳み状態からの開き動作における開き停止位置を、前記底面板１と略直角に近くなるように設定することができる。
【００２２】
また、前記底面板１と背面板２との開き構造の別の実施形態として、前記底面板１の底表面１１の底後端面１４側寄りの箇所に前記背面板２の背部下端面２４が当接するように開く構成としたものも存在する〔図７（Ａ）参照〕。該実施形態では、前記第１ジョイント具４の底面板取付片４１が前記底面板１の底表面１１の底後端面１４側寄りの位置に固着され、前記背面板取付片４２が前記背部裏面２２に固着される〔図７（Ｂ），（Ｃ）参照〕。
【００２３】
これによって、前記背面板２が第１ジョイント具４を介して折畳み状態から開くときに、前記背部裏面２２が、前記底面板１の底表面１１の奥側（底後端面１４寄りの位置）に当接し、略直角よりも僅かに大きな角度となる鈍角で開きが停止できるようになる。この実施形態においても、前記背面板２が前記底面板１に対して１８０度に展開されることはない。この実施形態では、前記底面板１の底表面１１の奥側（底後端面１４寄りの位置）が、前記背面板２の開き動作のストッパの役目をなすものである〔図７（Ｃ）参照〕。
【００２４】
前記側面板３，３は、前記背面板２に対して、前記第２ジョイント具５を介して、折畳み状態から開いて立ち上がり状態となるように設定される〔図６（Ａ），（Ｂ）参照〕。さらに、前記側面板３は、前記背面板２の背部裏面２２側に折り畳まれた状態から、前記背面板２の背部前面２１と略直角（９０度）となる隅角（内角）を構成するようにして、開き動作が停止するように設定される〔図６（Ｃ）参照〕。前記第２ジョイント具５は、背部取付片５１と、側部取付片５２と、枢支中心部５３からなり、前記背部取付片５１は、背面板２の背部裏面２２にビス等の固着具６にて固着される。
【００２５】
また、前記側部取付片５２は、前記側面板３の側部裏面３２側にビス等の固着具６にて固着される。特に前記側部取付片５２と側面板３とは、前記側部取付片５２の枢支中心部５３の位置と、前記側面板３の側部横側面３５との間に間隔Ｌをおいて固着されている。前記間隔Ｌは、前記背面板２の厚さ寸法、すなわち前記背部横端面２５の幅に略等しくなっている。そして背面板２から側面板３を開いて組み立てたときに前記側部取付片５２の間隔Ｌの部分が前記背面板２の背部横端面２５に当接して開きが停止するようになっている。
【００２６】
前記背面板２と前記側面板３とは、折り畳まれた状態において、前記第２ジョイント具５を介して、前記背面板２の背部裏面２２と、前記側面板３の側部裏面３２とが対向する状態となる。そして、前記側面板３は、前記背面板２の背部裏面２２から背部前面２１に向かって、前記枢支中心部５３を中心にして回動し、前記背面板２の背部前面２１と、前記側面板３の側部正面３１とが略直角（９０度）の隅角（内角）となる位置にて開き動作が停止するようにしたものである。
【００２７】
側面板３と底面板１には、相互に固定されるためのロック部７が具備されている。また、ロック部７は、前記背面板２と側面板３とが組立状態において、その背部前面２１と側部正面３１とのなす隅角（内角）が直角（９０度）に維持されるようにする役目もなしている。前記ロック部７は、前記側面板３の側部下端面３４に軸状の軸部７１が形成され、底面板１の底表面１１で且つ幅方向両端箇所に挿入孔７２が形成され、前記突起７１が挿入孔７２に挿入することによって、前記側面板３が前記底面板１に固定される。このように軸部７１が挿入孔７２に、挿入されるときに、軸部７１の直径を挿入孔７２の内径よりも僅かに大きく形成することで、略締まり嵌めの状態となり、極めて強固な接合状態にすることができる。
【００２８】
また、前記ロック部７の別の実施形態が存在する。この実施形態は、図９（Ａ），（Ｂ）に示すように、前記軸部７１には、突起片７１ａが形成され、前記軸部７１は、軸周方向に回転自在な構成となっている。該突起片７１ａは、略円弧形状の鍔形状に形成されたものであり、前記軸部７１の軸部７１に沿って複数形成されている。前記軸部７１の回転操作は、前記側面板３，３の側部裏面３２側に装着された操作部７３によって回動操作されるものであり、該操作部７３には揺動するレバー７３ａが備わっている。該レバー７３ａは、前記軸部７１と接合しており、レバー７３ａの揺動操作によって、前記軸部７１が回動する。該軸部７１は、前記レバー７３ａの揺動操作によって略１８０度回動することができる。
【００２９】
前記挿入孔７２の大きさは、前記軸部７１の直径よりも僅かに大きく形成されており、軸部７１は突起片７１ａと共に、前記挿入孔７２に余裕を有して遊挿状態で挿入される〔図９（Ｃ）参照〕。そして、前記側面板３の側部下端面３４から前記軸部７１の一部が突出しており、背面板２に対して側面板３，３が略直角に開いたときに、前記底面板１側に形成された挿入孔７２に遊挿状態で挿入されるようになっている。該挿入孔７２に挿入された前記軸部７１は、前記操作部７３のレバー７３ａを揺動操作によって、前記挿入孔７２内部で回動する。
【００３０】
前記軸部７１に形成された突起片７１ａは、軸部７１が軸周方向に略１８０度回転することによって、前記突起片７１ａが前記挿入孔７２の内周壁面に食い込み、係止されることで極めて強固な固定となる〔図９（Ｄ）参照〕。図９（Ｅ）乃至図９（Ｇ）は、前記軸部７１が挿入孔７２内部で、周方向に回転し、前記突起７１が前記挿入孔７２の内周壁に次第に食い込む様子を示す略示図である。また、前記軸部７１の挿入孔７２への挿入作業を行い易くするために、前記底面板１と背面板２との開き角度θは、直角（９０°）よりも僅かに大きな鈍角であることが好ましい。
【００３１】
本発明の整理箱は、折り畳まれた状態において、底面板１と背面板２とは、前記底面板１の底表面１１と、背面板２の背部前面２１とが対向するようにして重なっている〔図５（Ａ）参照〕。また、背面板２と側面板３とは、前記背面板２の背部裏面２２と、側面板３の側部裏面３２とが対向するように重なっている。この整理箱の折り畳まれた状態から、整理箱を組み立てる工程は、まず底面板１から背面板２を前記第１ジョイント具４を介して上方に立ち上げるようにして開く〔図５（Ｂ）参照〕。前記背面板２は底面板１に対して略直角付近にて開きが停止するように設定されている。次に立ち上げられた背面板２に対して側面板３を開き、背面板２と側面板３とが直角となるように設定し、ロック部７を介して側面板３と底面板１とを固定する〔図５（Ｃ）参照〕。
【００３２】
本発明の整理箱は、図８（Ａ）に示すように、傾斜台８を有する棚に設置されるものである。該傾斜台８に対して本発明の整理箱は、底面板１の背面板２が装着されている側が下方となるように載置される。すなわち、底面板１の底後端面１４が底前端面１３よりも下方位置となる状態で前記傾斜台８に載置される。この状態で整理箱に大量の枚数の葉書Ｐ，Ｐ，…が収納された状態では、底面板１と共に背面板２も重量を負担するものである。前記背面板２は、底面板１に対して折畳み状態から組立を行うときに、略直角以内（略直角付近）にて開き動作が停止する。
【００３３】
さらに、本発明の整理箱に大量の葉書Ｐ，Ｐ，…が収納された状態で作業員が、前記整理箱を手に持って移動するとき等において、その整理箱が何かにぶつかることにより衝撃がかかって、万が一にも両側面板３，３と底面板１との固定が外れて、整理箱の組立状態がくずれたとしても、前記背面板２は、前記底面板１に対して開き角度が略直角以内であり、開き角度が略直角に制限されるので、前記背面板２は略直角状態で立ち上がった状態を維持することができる〔図８（Ｂ）参照〕。これによって、収納された大量の葉書Ｐ，Ｐ，…が底面板１と背面板２とから脱落することがなく、収納状態を維持することができるものである。また組立時においても、前記背面板２は、底面板１に対して略直角の位置で開き動作が停止されるので、側面板３，３を組み立てる時も、背面板２を手で支えておく必要がなく、側面板３，３の組立に両手が使用でき、組立作業を効率的且つ楽に行うことができる。また、本発明の整理箱において、底面板１と、背面板２と、側面板３，３が木材によって構成されることで、製造工作が容易であり、低価格で且つ軽量化も実現することができるものである。
【図面の簡単な説明】
【００３４】
【図１】（Ａ）は葉書用整理箱の斜視図、（Ｂ）は葉書用整理箱の拡大縦断側面図である。
【図２】（Ａ）は図１（Ａ）のＸａ−Ｘａ矢視箇所における折り畳み状態の略示図、（Ｂ）はＸａ−Ｘａ矢視箇所における開き状態の略示図である。
【図３】（Ａ）は図１（Ａ）のＸｂ−Ｘｂ矢視箇所における折り畳み状態の略示図、（Ｂ）はＸｂ−Ｘｂ矢視箇所における開き状態の略示図である。
【図４】（Ａ）は第１ジョイント具箇所における底面板と背面板とが折畳み状態となった要部拡大断面図、（Ｂ）は第１ジョイント具箇所における底面板と背面板とが開いた状態となった要部拡大断面図、（Ｃ）は底面板と背面板とが最大に開きの位置で停止した状態の要部拡大断面図である。
【図５】（Ａ）は折畳み状態の斜視図、（Ｂ）は組立途中の斜視図、（Ｃ）は組立が完了した状態の斜視図である。
【図６】（Ａ）は本発明の組立状態における平面図、（Ｂ）は折り畳み状態の背面板と側面板との要部拡大断面図、（Ｃ）は組立状態の背面板と側面板との要部拡大断面図である。
【図７】（Ａ）は底面板と背面板とを別の折畳み構造とした実施形態の縦断側面図、（Ｂ）は（Ａ）の要部拡大断面図、（Ｃ）は最大開き状態の要部拡大断面図である。
【図８】（Ａ）は本発明の整理棚に葉書が収納された状態で傾斜台上に載置された縦断側面図、（Ｂ）は組立が万が一崩れても葉書が背面板によって支持されている状態を示す縦断側面図である。
【図９】（Ａ）はロック部の構成を示す要部斜視図、（Ｂ）は軸部が挿入孔から外れている状態の要部縦断側面図、（Ｃ）は軸部が挿入孔に遊挿した状態の要部縦断側面図、（Ｄ）は軸部が挿入孔内部で周方向に回転して突起片が挿入孔周壁に係止した状態の要部縦断側面図、（Ｅ），（Ｆ），（Ｇ）はロック部のロック工程を示す略示図である。
【符号の説明】
【００３５】
１…底面板、１４…底後端面、２…背面板、２１…背部前面、２２…背部裏面、
２４…背部下端面、３…側面板、３４…側部下端面、４…第１ジョイント具、
５…第２ジョイント具、７…ロック部、７１…軸部、７２…挿入孔。
【図１】
2009056050.tif 000003
【図２】
2009056050.tif 000004
【図３】
2009056050.tif 000005
【図４】
2009056050.tif 000006
【図５】
2009056050.tif 000007
【図６】
2009056050.tif 000008
【図７】
2009056050.tif 000009
【図８】
2009056050.tif 000010
【図９】
2009056050.tif 000011